(57)【要約】【課題】現地調整及び設計部門に対する問い合わせ対応を効率的に行える監視制御システムを提供する。【解決手段】フィールドに設置されたプラント機器２１の運転状態を監視、制御する監視制御システム１００は、監視制御装置１０と、監視制御装置１０に双方向に接続され、プラント機器２１からのデータを計測し、監視制御装置１０の指示に基づいてプラント機器を制御するプラント情報処理装置２０と、監視画面４０とから構成され、監視制御装置１０は、データを一時的に無効にするマスクの設定状態をプラント情報処理装置２０から収集する情報収集部１０ｂと、情報収集部１０ｂから受け取った各信号のデータから、マスクが掛かっている信号のみを抽出するデータ処理部１０ｄと、マスクが掛かっている信号の一覧を監視画面４０に表示する表示制御部１０ａとを有する。【選択図】図２
2019139676.tif 000002
【特許請求の範囲】
【請求項１】
フィールドに設置されたプラント機器の運転状態を監視、制御する監視制御システムであって、
前記プラント機器から収集したデータを蓄積する監視制御装置と、
前記監視制御装置にプラント制御バスを介して双方向に接続され、前記プラント機器からのデータを計測し、前記監視制御装置の指示に基づいて前記プラント機器を制御するプラント情報処理装置と、
前記監視制御装置に接続された監視画面とから構成され、
前記監視制御装置は、
ユーザが入力した信号種別に該当する信号の個々の信号名称と、前記信号に関連する前記プラント機器の設備名称と、前記プラント機器が設置されている機場名称と、前記信号のデータに設定可能であり、前記データを一時的に無効にするマスクの設定状態とを、前記プラント情報処理装置から収集する情報収集部と、
前記情報収集部から受け取った各前記信号のデータから、前記マスクが掛かっている信号のみを抽出するデータ処理部と、
前記マスクが掛かっている前記信号の一覧を前記監視画面に表示する表示制御部とを有する監視制御システム。
【請求項２】
前記データ処理部は、前記ユーザが指定する前記機場名称、前記設備名称、前記プラント情報処理装置の名称の少なくとも１つを元に、絞り込んだ前記信号のみを前記監視画面に表示する請求項１に記載の監視制御システム。
【請求項３】
前記監視制御装置は、一覧表示した前記信号を並び替えるソート処理部を備える請求項１又は請求項２に記載の監視制御システム。
【請求項４】
前記信号には、前記プラント機器の異常を示す警報の発報を無効とするアラームマスクと、
前記信号に含まれるデータについて、一時的に前記データを無視するように設定するデータマスクとの２種類の前記マスクが設定可能である請求項１から請求項３のいずれか１項に記載の監視制御システム。
【請求項５】
前記監視制御装置は、前記データマスクの設定されている個々の前記データを表示する情報展開部を備える請求項４に記載の監視制御システム。
【請求項６】
前記監視制御装置は、前記監視画面に表示されている前記信号の全ての前記マスクの設定を解除するリセット部を備える請求項１から請求項５のいずれか１項に記載の監視制御システム。
【発明の詳細な説明】
【技術分野】
【０００１】
この発明は、監視制御システムに関するものである。
【背景技術】
【０００２】
従来、プラントの監視制御システムの運用を始めるには、様々なテストが必要であり、また、運用しながら各種プログラムの改良を進める必要もある。テスト中には、異常信号を故意に発生させ、正しくプログラムが動作するかを確認することも必要である。しかしながら、実際に動いているシステムの改良には、警報の発報による混乱を防止するために、特定の信号にマスクを掛けて、誤報を防止しながら作業を行う必要がある。また、複数の警報の中から警報に優先順位を付けるためにマスクを利用する場合もある（例えば特許文献１参照）。
【先行技術文献】
【特許文献】
【０００３】
【特許文献１】特開平０２−３００８９６号公報
【発明の概要】
【発明が解決しようとする課題】
【０００４】
マスクは、監視制御システムの運用に合わせて適宜変更する必要があるが、特許文献１のような例では、信号を一つ一つ選択してマスクが掛かっているかを確認し、これを変更することは可能であったが、信号種別毎に一覧で表示、変更することはできなかった。このために、多数のマスクの設定状態を確認するために多大な時間を要するとともに、マスクの外し漏れが発生し、これにより誤報が発生して無用なシステムの停止を招く場合があった。
【０００５】
この発明は、上記のような課題を解決するためになされたものであり、ユーザが指定した信号種別に該当する、全てのマスクが掛かった信号を、画面に一覧で表示することにより、マスクの外し忘れが原因で発生する「異常信号が発生しているにも拘わらず警報が発生しない」といった現象を防止し、現地調整及び設計部門に対する問い合わせ対応を効率的に行える監視制御システムを提供することを目的とする。
【課題を解決するための手段】
【０００６】
この発明に係る監視制御システムは、
フィールドに設置されたプラント機器の運転状態を監視、制御する監視制御システムであって、
前記プラント機器から収集したデータを蓄積する監視制御装置と、
前記監視制御装置にプラント制御バスを介して双方向に接続され、前記プラント機器からのデータを計測し、前記監視制御装置の指示に基づいて前記プラント機器を制御するプラント情報処理装置と、
前記監視制御装置に接続された監視画面とから構成され、
前記監視制御装置は、
ユーザが入力した信号種別に該当する信号の個々の信号名称、前記信号に関連する前記プラント機器の設備名称、前記プラント機器が設置されている機場名称と、前記信号のデータに設定可能であり、前記データを一時的に無効にするマスクの設定状態を、前記プラント情報処理装置から収集する情報収集部と、
前記情報収集部から受け取った各前記信号のデータから、前記マスクが掛かっている信号のみを抽出するデータ処理部と、
前記マスクが掛かっている前記信号の一覧を前記監視画面に表示する表示制御部とを有するものである。
【発明の効果】
【０００７】
この発明に係る監視制御システムによれば、ユーザが指定した信号種別に該当する、全てのマスクが掛かった信号を、画面に一覧で表示することができるので、マスクの外し忘れが原因で発生する「異常信号が発生しているにも拘わらず警報が発生しない」といった現象を防止し、現地調整及び設計部門に対する問い合わせ対応を効率的に行える監視制御システムを提供することができる。
【図面の簡単な説明】
【０００８】
【図１】この発明の実施の形態１に係る監視制御システムの構成を示す図である。
【図２】この発明の実施の形態１に係る監視制御装置の構成を示す図である。
【図３】この発明の実施の形態１に係るマスクが掛かっている信号を一覧表示するまでの操作フローを示す図である。
【図４】この発明の実施の形態１に係る監視画面に表示された、マスクが掛かっているデータの一覧である。
【図５】この発明の実施の形態１に係るデータマスクの詳細設定画面である。
【図６】この発明の実施の形態２に係るマスクが掛かっている信号を一覧表示するまでの操作フローを示す図である。
【図７】この発明の実施の形態２に係る監視画面に表示された、マスクが掛かっているデータの一覧である。
【図８】この発明の実施の形態３に係る監視制御装置の構成を示す図である。
【図９】この発明の実施の形態３に係る監視画面に表示された、マスクが掛かっているデータの一覧である。
【図１０】この発明の実施の形態４に係る監視制御装置の構成を示す図である。
【図１１】この発明の実施の形態４に係る監視画面に表示された、マスクが掛かっているデータの一覧である。
【図１２】この発明の実施の形態５に係る監視制御装置の構成を示す図である。
【図１３】この発明の実施の形態５に係る監視画面に表示された、マスクが掛かっているデータの一覧である。
【発明を実施するための形態】
【０００９】
実施の形態１．
以下、この発明の実施の形態１に係る監視制御システムを図を用いて説明する。
図１は、監視制御システム１００のシステムの構成を示す図である。
監視制御システム１００は、フィールドの設置されたプラント機器２１Ａ、２１Ｂの状態を監視制御する。監視制御システム１００は、プラント機器２１Ａ、２１Ｂから収集した各種データを蓄積する監視制御装置１０と、プラント機器２１Ａ、２１Ｂからのデータを計測し、また、監視制御装置１０の指示に基づいてプラント機器２１Ａ、２１Ｂを直接的に制御するプラント情報処理装置２０と、監視制御装置１０とプラント情報処理装置２０との間で、双方向に、情報及び制御指令の伝達を実現するプラント制御バス３０と、プラント全体の状態を表示する、監視制御装置１０に接続された監視画面４０とから構成されている。
【００１０】
図２は、監視制御装置１０の詳細な構成を示す図である。監視制御装置１０は、監視画面４０への表示を制御する表示制御部１０ａと、プラント情報処理装置２０からマスク情報（マスクの設定状態を示す情報）を収集する情報収集部１０ｂと、プラント情報処理装置２０から収集したマスク情報を蓄積して管理するデータ蓄積部１０ｃと、このマスク情報を編集するデータ処理部１０ｄと、データマスク（詳細は後述する）の詳細を展開する情報展開部１０ｅから構成される。ここで言う「マスク情報」とは、各種データに対してそれぞれに付加可能な情報の一種である。マスク情報を付加されたデータは、監視制御システム１００上では、一時的にそのデータの存在を無視（無効化）して監視制御を行うよう設定される。
【００１１】
図３は、本実施の形態に係るマスクが掛かっている信号を一覧表示するまでの操作フローを示す図である。
図４は、本実施の形態に係る監視画面４０に表示された、マスクが掛かっているデータの一覧である。
ユーザが、監視画面４０から信号種別の名称を選択すると（図３、ステップ  ＳＴ００１）、表示制御部１０ａは、当該信号種別を情報収集部１０ｂに送信する（ステップ  ＳＴ００２）。情報収集部１０ｂは、プラント制御バス３０を経由し、プラント情報処理装置２０Ａ、２０Ｂから、ユーザが入力した信号種別に該当する信号の個々の信号名称、その信号に関連する設備名称（プラント機器の名称）、その設備が設置されている機場名称と、当該信号に設定可能なマスク情報を収集する（ステップ  ＳＴ００３）。
【００１２】
情報収集部１０ｂは、収集した信号とその信号名称等をデータ蓄積部１０ｃに格納するとともに、データ処理部１０ｄへ送信する（ステップ  ＳＴ００４）。データ処理部１０ｄは、情報収集部１０ｂから受け取った各信号のデータから、マスクが掛かっている信号のみを抽出して、その情報を表示制御部１０ａに送信する（図３、ステップ  ＳＴ００５）。表示制御部１０ａは、受信したマスクが掛かっている信号の情報を、図４に示すように監視画面４０に一覧表示する（ステップ  ＳＴ００６）。
【００１３】
図４では、信号種別「ＡＩ信号」の内、マスクが掛かった信号の一覧を示している。信号Ｎｏ、信号名称、その信号を利用する設備名称、その設備が設置されている機場名称、その信号を取り扱うプラント情報処理装置２０の名称、信号が実際に書かれているプラント情報処理装置２０内のメモリ上のアドレス、掛けられているマスクの種別が記載されている。アラームマスクとは、一時的に警報を無効とするマスクである。アラームマスクの欄の●印は、この信号にはアラームマスクが掛けられていることを示している。
【００１４】
データマスクとは、信号に含まれる各種データについて、一時的に数値を無視するように設定するマスクである。データマスクの欄の●印は、この信号にはデータマスクが掛けられていることを示している。今、信号１には、アラームマスクが掛けられている。従って、信号１に異常があっても、警報は発報しない。アラームマスクの欄をクリックするとマスクのＯＮ、ＯＦＦが交互に切り替わる。
【００１５】
図５は、データマスクの詳細設定画面である。
今、図４の信号５には、●印が表示されていて、信号５にデータマスクが掛けられていることを表している。信号５のデータマスクの欄をクリックすると、図５に示すように、信号５のデータマスクの詳細が、情報展開部１０ｅにより展開され、詳細な現在のデータマスクの設定状態が、監視画面４０上に表示される。
【００１６】
信号５にはデータ１〜データＮが含まれており、ＯＮと表示されているデータには、データマスクが掛けられている。データマスクのＯＮ、ＯＦＦは、マウスでクリックすることにより交互に切り替わる。データマスクが掛けられているデータについては、監視制御装置１０による監視の対象から一時的に外される。
【００１７】
この発明の実施の形態１に係る監視制御システム１００によれば、ユーザが指定した信号種別に該当する、アラームマスク、データマスクが掛かった全ての信号を、画面に一覧で表示することにより、マスクの外し忘れが原因で発生する「異常信号が発生しているにも拘わらず警報が発生しない」といった現象を防止し、現地調整や設計部門に対する問い合わせ対応を効率的に行える監視制御システムを提供することができる。
【００１８】
実施の形態２．
以下、この発明の実施の形態２に係る監視制御システムを、図に基づいて説明する。
図６は、本実施の形態に係る、マスクが掛かっている信号を一覧表示するまでの操作フローを示す図である。
図７は、本実施の形態に係る監視画面４０に表示された、マスクが掛かっているデータの一覧である。
上述した、実施の形態１に係る監視制御システム１００でも、マスクが掛かった信号を一覧表示できるが、表示する信号が多数存在する場合、閲覧したい信号のマスク情報を探すために時間が掛かってしまう。そこで本実施の形態では、ユーザが、監視画面４０から信号種別を入力する際に、すなわちステップＳＴ２０１において機場名称、設備名称、プラント情報処理装置の名称も必要に応じて指定することとする。
【００１９】
これにより、図６、ステップＳＴ２０５を実施する際に、データ処理部１０ｄが、ユーザが指定した機場名称、設備名称、プラント情報処理装置の名称を用いてマスクが掛かっている信号を抽出し、表示制御部に送信する。そして、表示制御部は、受信したマスクが掛かっている信号一覧を監視画面４０に表示する。
【００２０】
この発明の実施の形態２に係る監視制御システムによれば、信号の一覧表示を行う際に、機場名称、設備名称、プラント情報処理装置の名称を指定することで、表示する信号を絞ることができ、閲覧したい信号を探す手間を省くことが可能となる。
【００２１】
実施の形態３．
以下、この発明の実施の形態３に係る監視制御システムを、図に基づいて説明する。
図８は、本実施の形態に係る監視制御装置３１０の詳細な構成を示す図である。
図９は、本実施の形態に係る監視画面４０に表示された、ソート後のマスクが掛かっているデータの一覧である。
実施の形態１より、マスクが掛かった信号を一覧表示できるが、図９に示す通り、機場名称毎、プラント情報処理装置の名称毎といった、項目毎にマスク情報を閲覧したい時は、ユーザが一つ一つ項目を確認する必要がある。そこで本実施の形態では、図８に示す通り、マスクが掛かった信号の一覧をユーザが選択した項目毎に並び替える機能を有するソート処理部３１０ｆを追加する。
【００２２】
図９に示す通り、ユーザが、監視画面４０から並び替えたい項目をクリックして選択すると、表示制御部３１０ａは信号一覧と、ユーザが選択した項目をソート処理部３１０ｆに送信する。ソート処理部３１０ｆは、受信した項目毎に信号一覧を並び替え、その結果を表示制御部３１０ａに送信する。そして、表示制御部３１０ａは、受信したマスクが掛かっている信号一覧を監視画面４０に表示する。
【００２３】
この発明の実施の形態３に係る監視制御システムによれば、ユーザが選択した項目毎にマスクが掛かった信号一覧を並び替えて画面に表示することで、項目毎にマスクが掛かった信号を確認することが可能となる。
【００２４】
実施の形態４．
以下、この発明の実施の形態４に係る監視制御システムを、図に基づいて説明する。
実施の形態１、２、３により、マスクが掛かった信号をユーザが閲覧したい形で一覧表示できるが、一覧表示を閲覧しながら監視画面を始めとした別画面を閲覧することは出来ないため、信号の一覧を表示しながら別作業を行えない。そこで、本実施の形態では、信号の一覧表示画面を別ウィンドウ化することにより、信号を一覧表示しながら別画面を閲覧、操作することを可能とする。
【００２５】
図１０は、監視制御装置４１０の詳細な構成を示す図である。
図１１は、本実施の形態に係る監視画面４０に表示された、マスクが掛かっているデータの一覧である。図１０に示すウィンドウ化ボタン４１をユーザが押下すると、画面展開部４１０ｇは、マスク信号表示ウィンドウを作成する。表示制御部４１０ａは、作成したウィンドウに信号一覧を展開し、監視画面４０に表示する。
【００２６】
この発明の実施の形態４に係る監視制御システムによれば、マスクが掛かった信号の一覧を別ウィンドウで表示することにより、信号一覧を表示しながら別画面を閲覧することが可能となる。
【００２７】
実施の形態５．
以下、この発明の実施の形態５に係る監視制御システムを、図に基づいて説明する。
図１２は、監視制御装置５１０の詳細な構成を示す図である。
図１３は、本実施の形態に係る監視画面４０に表示された、マスクが掛かっているデータの一覧である。
実施の形態１では、データマスクの欄をクリックするだけで、データマスクの詳細設定画面に遷移することが可能であったが、一覧表示されている信号のマスクを全て外すには、一つ一つデータマスク欄をクリックし、それぞれのマスクを外さなければならない。
【００２８】
そこで、本実施の形態では、監視画面４０に表示されている信号の全てのマスクの設定を解除する機能を有する、リセット部５１０ｈを監視制御装置５１０に追加する。マスクの一覧表示画面に、マスクを一括で外すマスクリセットボタン４２を設置し、ユーザがこのボタンをクリックすると、表示制御部５１０ａは、表示している信号一覧の信号名称を情報展開部５１０ｅに送信する。
【００２９】
情報展開部５１０ｅは、受信した信号名称の信号の全てのマスクを外す指令をプラント情報処理装置２０Ａ、２０Ｂに送信する。情報展開部１０ｅは、表示制御部５１０ａにマスクを外した旨を送信する。次に表示制御部５１０ａは、監視画面４０に表示している信号一覧を閉じる。
【００３０】
この発明の実施の形態５に係る監視制御システムによれば、リセットボタンをクリックするだけで、一覧で表示されている信号の全てのマスクを一括で外すことが可能となる。
【００３１】
尚、この発明は、その発明の範囲内において、各実施の形態を自由に組み合わせたり、各実施の形態を適宜、変形、省略したりすることが可能である。
【符号の説明】
【００３２】
１００  監視制御システム、１０，３１０，４１０，５１０  監視制御装置、
１０ａ，３１０ａ，４１０ａ，５１０ａ  表示制御部、１０ｂ  情報収集部、
１０ｃ  データ蓄積部、１０ｄ  データ処理部、１０ｅ，５１０ｅ  情報展開部、
３１０ｆ  ソート処理部、４１０ｇ  画面展開部、５１０ｈ  リセット部、
２０，２０Ａ，２０Ｂ  プラント情報処理装置、２１Ａ，２１Ｂ  プラント機器、
３０  プラント制御バス、４０  監視画面、４１  ウィンドウ化ボタン、
４２  マスクリセットボタン。
【図１】
2019139676.tif 000003
【図２】
2019139676.tif 000004
【図３】
2019139676.tif 000005
【図４】
2019139676.tif 000006
【図５】
2019139676.tif 000007
【図６】
2019139676.tif 000008
【図７】
2019139676.tif 000009
【図８】
2019139676.tif 000010
【図９】
2019139676.tif 000011
【図１０】
2019139676.tif 000012
【図１１】
2019139676.tif 000013
【図１２】
2019139676.tif 000014
【図１３】
2019139676.tif 000015